(57)【要約】      （修正有）【課題】着用者の眼鏡度数に応じて３Ｄメガネの度数を種々に変えて着用できる組立て易いメガネフレーム脱着式３Ｄメガネを提供する。【解決手段】中央に係合枠が形成され、両サイドに脚が形成され、係合枠の中央部位に脱着突起が形成されているテンプル１０と、係合枠に脱着自在に形成され、３Ｄメガネ用レンズ３０、３０’が嵌められるように両サイドにメガネ嵌合口３６、３６’が形成され、３Ｄメガネ用レンズ３０、３０’が背面に嵌められて固定できるようにメガネ嵌合口３６、３６’の背面の上下部に固定突起が形成され、メガネフレームの背面の中央部位に脱着溝が凹設されている脱着式フロントフレーム２０と、フロントフレーム２０のメガネ嵌合口３６、３６’に嵌められている３Ｄメガネ用レンズ３０、３０’と、を備えることを特徴とする。【選択図】図１
0003166052.tif 000002
【実用新案登録請求の範囲】
【請求項１】
中央に係合枠（１４）が形成され、両サイドに脚が形成され、係合枠（１４）の中央部位に脱着突起（１２）が形成されているテンプル（１０）と、
係合枠（１４）に脱着自在に形成され、３Ｄメガネ用レンズ（３０、３０’）が嵌められるように両サイドにメガネ嵌合口（３６、３６’）が形成され、３Ｄメガネ用レンズ（３０、３０’）が背面に嵌められて固定できるようにメガネ嵌合口（３６、３６’）の背面の上下部に固定突起（３２、３４、３２’、３４’）が形成され、メガネフレームの背面の中央部位に脱着溝（２２）が凹設されている脱着式フロントフレーム（２０）と、
前記フロントフレーム（２０）のメガネ嵌合口（３６、３６’）に嵌められている３Ｄメガネ用レンズ（３０、３０’）と、
を備えることを特徴とする組立て易いメガネフレーム脱着式３Ｄメガネ。
【請求項２】
前記脱着溝（２２）の両サイドにノーズパッド（４０）が取着されていることを特徴とする請求項１記載の組立て易いメガネフレーム脱着式３Ｄメガネ。
【請求項３】
前記３Ｄメガネは、合成樹脂製のものであり、着用者の眼鏡度数に応じてその度数が変わることを特徴とする請求項１又は２記載の組立て易いメガネフレーム脱着式３Ｄメガネ。
【考案の詳細な説明】
【技術分野】
【０００１】
この考案は、組立て易いメガネフレーム脱着式３Ｄメガネに関し、詳しくは、係合枠の前面の中央部位に脱着突起が形成されていて係合枠の前面に脱着式フロントフレームを取り付けて使用することができ、眼鏡度数に応じて３Ｄメガネ用レンズを交換することができることから、着用者の眼鏡度数に応じて３Ｄメガネの度数を種々に変えて着用可能であり、特に、眼鏡着用者にとっては自分のメガネの上に簡単に着用可能な構造の組立て易いメガネフレーム脱着式３Ｄメガネに関する。
【背景技術】
【０００２】
最近の画像技術の発展には目を見張るものがあり、これに伴い、３Ｄ画像（３次元画像）が上映されている。従来の３Ｄメガネは、メガネレンズがメガネフレームの内部に固定されているため、着用に際して、度数が異なる場合には使用し難いという不都合がある。また、従来の３Ｄメガネはメガネレンズを交換することができず、しかも、メガネとメガネフレームが一体形のものであるため劇場で３Ｄ映画を観覧する場合に不便さを感じた状態で着用するという不都合がある。従来の３Ｄメガネは、メガネレンズがメガネフレームに固定されているため、度数差および年齢層に応じて度数が異なる場合、着用者の度数に合わせて度数を調節することができないという不都合がある。
【考案の概要】
【考案が解決しようとする課題】
【０００３】
この考案は従来の３Ｄメガネにおける問題点を改善するためになされたものであり、その目的は、係合枠の前面の中央部位に脱着突起が形成されていて係合枠の前面に脱着式フロントフレームを取り付けて使用することができ、眼鏡度数に応じて３Ｄメガネ用レンズを交換することができることから、着用者の眼鏡度数に応じて３Ｄメガネの度数を種々に変えて着用可能な３Ｄメガネを提供するところにある。
【課題を解決するための手段】
【０００４】
上述した目的を達成するために、この考案による組立て易いメガネフレーム脱着式３Ｄメガネは、
中央に係合枠１４が形成され、両サイドに脚が形成され、係合枠１４の中央部位に脱着突起１２が形成されているテンプル１０と、
前記係合枠１４に脱着自在に形成され、３Ｄメガネ用レンズ３０、３０’が嵌められるように両サイドにメガネ嵌合口３６、３６’が形成され、３Ｄメガネ用レンズ３０、３０’が背面に嵌められて固定できるように前記メガネ嵌合口３６、３６’の背面の上下部に固定突起３２、３４、３２’、３４’が形成され、メガネフレームの背面の中央部位に脱着溝２２が凹設されている脱着式フロントフレーム２０と、
前記フロントフレーム２０に嵌められている３Ｄメガネ用レンズ３０、３０’と、
を備えてなる。
この考案の好ましい態様としては、前記脱着溝２２の両サイドにノーズパッド４０が取付されている態様が挙げられる。
【考案の効果】
【０００５】
この考案による３Ｄメガネは、係合枠の前面の中央部位に脱着突起が形成されていて係合枠の前面に脱着式フロントフレームを取り付けて使用することができ、眼鏡度数に応じて３Ｄメガネ用レンズを交換することができることから、着用者の眼鏡度数に応じて３Ｄメガネの度数を種々に変えて着用することができるという効果を有する。
【図面の簡単な説明】
【０００６】
【図１】この考案に係る３Ｄメガネの一例を示す結合斜視図
【図２】この考案に係る３Ｄメガネの一例を示す分解斜視図
【図３】この考案に係る３Ｄメガネの一例を示す正面図
【図４】この考案に係る３Ｄメガネの一例を示す側面図
【図５】この考案に係る３Ｄメガネの一例を示す平面図
【図６】この考案に係る３Ｄメガネの一例におけるレンズの取付け状態を示す分解斜視図
【図７】この考案に係る３Ｄメガネの一例におけるレンズの取付け状態を示す分解斜視図
【図８】この考案に係る３Ｄメガネの一例におけるフロントフレームの取付け状態を示す分解斜視図
【考案を実施するための形態】
【０００７】
この考案に係る組立て易いメガネフレーム脱着式３Ｄメガネは、中央に係合枠１４が形成され、両サイドに脚が形成され、係合枠１４の中央部位に脱着突起１２が形成されているテンプル１０と、係合枠１４に脱着自在に形成され、３Ｄメガネ用レンズ３０、３０’が嵌められるように両サイドにメガネ嵌合口３６、３６’が形成され、３Ｄメガネ用レンズ３０、３０’が背面に嵌められて固定できるようにメガネ嵌合口３６、３６’の背面の上下部に固定突起３２、３４、３２’、３４’が形成され、メガネフレームの背面の中央部位に脱着溝２２が凹設されている脱着式フロントフレーム２０と、前記フロントフレーム２０のメガネ嵌合口３６、３６’に嵌められている３Ｄメガネ用レンズ３０、３０’と、を備えている。
この考案において、前記脱着溝２２の両サイドにノーズパッド４０が取着されている（取り付けられている）態様は好ましい。
【０００８】
この考案による３Ｄメガネは、合成樹脂製のものであり、着用者の眼鏡度数に応じてその度数が変わることが好ましい。この考案による３Ｄメガネは、合成樹脂製のものである場合、具体的には、この考案による３Ｄメガネを構成する、少なくとも、テンプル１０、３Ｄメガネ用レンズ３０、３０’又は脱着式フロントフレーム２０は、合成樹脂製（例えばエポキシ樹脂、セルロイド、酢酸セルロースなどの合成樹脂）のものであることが好ましい。
【０００９】
この考案による組立て易いメガネフレーム脱着式３Ｄメガネは、係合枠１４の前面に脱着式フロントフレーム２０を取り付けて使用することができ、着用者の眼鏡度数に応じて３Ｄメガネ用レンズ３０、３０’を交換することができることから、着用者の眼鏡度数に応じて度数を種々に変えて着用することができる。
【００１０】
この考案による３Ｄメガネにおけるテンプル１０は、通常のメガネと同様に、中央に係合枠１４が形成され、両サイドに脚が形成され、係合枠１４の前面の中央部位に脱着突起１２が形成されていることから、係合枠１４の前面に脱着式フロントフレーム２０を取り付けて使用することができる。
【００１１】
この考案による３Ｄメガネにおける脱着式フロントフレーム２０は、係合枠１４の前面部に取り付けて使用することができ、あるいは係合枠１４の前面部から取り外して使用することができ、３Ｄメガネ用レンズ３０、３０’が嵌められるように両サイドにメガネ嵌合口３６、３６’が形成され、３Ｄメガネ用レンズ３０、３０’が背面に嵌められて固定できるようにメガネ嵌合口３６、３６’の背面の上下部に固定突起３２、３４、３２’、３４’が形成され、メガネフレームの背面の中央部位に脱着溝２２が凹設され、脱着溝２２の両サイドにノーズパッド４０が取着されている。
【００１２】
この考案による３Ｄメガネは、着用者の眼鏡度数に応じて、メガネ嵌合口３６、３６’に３Ｄメガネ用レンズ３０、３０’を交換して嵌めることができることから、着用者の眼鏡度数に応じてその度数を種々に変えて着用することができる。
【００１３】
この考案による３Ｄメガネは、合成樹脂製のものであり、使用者が自ら組み立てることができ、着用者の眼鏡度数に応じてレンズを種々に交換することができる他、各部品を抱き合わせ販売（セット販売）することができる。
【００１４】
以上述べたように、この考案について図示の実施形態を参考に説明したが、これは単なる例示に過ぎず、この技術分野における通常の知識を持った者であればこれより種々の変形および均等な他の実施形態が採用可能であるということが理解できるであろう。よって、この考案の真の技術的な保護範囲は請求範囲の技術的思想によって定まるべきである。
【符号の説明】
【００１５】
１０：テンプル
１２：脱着突起
１４：係合枠
２０：脱着式フロントフレーム２０
２２：脱着溝
３０、３０’：３Ｄメガネ用レンズ
３２、３４、３２’、３４’：固定突起
３６、３６’：メガネ嵌合口
４０：ノーズパッド
【図１】
0003166052.tif 000003
【図２】
0003166052.tif 000004
【図３】
0003166052.tif 000005
【図４】
0003166052.tif 000006
【図５】
0003166052.tif 000007
【図６】
0003166052.tif 000008
【図７】
0003166052.tif 000009
【図８】
0003166052.tif 000010